(57)【要約】【課題】携帯端末の接続状態に関わらず、コンテンツをラストモードで再生する。【解決手段】携帯端末２と接続可能な車載装置１は、通電遮断時に車載装置１が再生していたラストモードのコンテンツに関する情報を含むラストモード情報１１１を記憶する記憶部１１と、通電遮断後に車載装置１の通電が開始されると、記憶部１１に記憶されたラストモード情報１１１に基づき、携帯端末２の接続状態がラストモードのコンテンツを再生可能であるか否かを判断する再生可否判断部１０３と、再生可否判断部１０３により携帯端末２の接続状態がラストモードのコンテンツを再生可能ではないと判断された場合、携帯端末２の接続に関する通知をユーザに対して行う通知部１０４とを備える。【選択図】図２
2019153933.tif 000002
【特許請求の範囲】
【請求項１】
携帯端末と接続可能なコンテンツ再生装置であって、
通電遮断時に前記コンテンツ再生装置が再生していたラストモードのコンテンツに関する情報を含むラストモード情報を記憶する記憶部と、
通電遮断後に前記コンテンツ再生装置の通電が開始されると、前記記憶部に記憶された前記ラストモード情報に基づき、前記携帯端末の接続状態が前記ラストモードのコンテンツを再生可能であるか否かを判断する再生可否判断部と、
前記再生可否判断部により前記携帯端末の接続状態が前記ラストモードのコンテンツを再生可能ではないと判断された場合、前記携帯端末の接続に関する通知をユーザに対して行う通知部と、を備えるコンテンツ再生装置。
【請求項２】
請求項１に記載のコンテンツ再生装置において、
ユーザを判別するユーザ判別部を備え、
前記記憶部は、前記ユーザ判別部が判別した前記ユーザと対応付けて前記ラストモード情報を記憶するコンテンツ再生装置。
【請求項３】
請求項２に記載のコンテンツ再生装置において、
通電遮断後に前記コンテンツ再生装置の通電が開始されると、前記再生可否判断部は、前記ユーザ判別部が判別した前記ユーザに対応する前記ラストモード情報に基づき、前記携帯端末の接続状態が前記ラストモードのコンテンツを再生可能であるか否かを判断するコンテンツ再生装置。
【請求項４】
請求項２または３に記載のコンテンツ再生装置において、
前記記憶部は、異なる時点で取得された複数の前記ラストモード情報を前記ユーザと対応付けて記憶し、
通電遮断後に前記コンテンツ再生装置の通電が開始されると、前記通知部は、前記ユーザ判別部が判別した前記ユーザに対応する複数の前記ラストモードのコンテンツを前記ユーザに通知し、
前記再生可否判断部は、前記通知部が通知した複数の前記ラストモードのコンテンツのうち、前記ユーザが選択した前記ラストモードのコンテンツについて、前記携帯端末の接続状態が再生可能であるか否かを判断するコンテンツ再生装置。
【請求項５】
請求項１から請求項４のいずれか一項に記載のコンテンツ再生装置において、
接続中の前記携帯端末を識別する端末識別部を備え、
前記記憶部は、前記端末識別部が識別した前記携帯端末と対応付けて前記ラストモード情報を記憶するコンテンツ再生装置。
【請求項６】
請求項５に記載のコンテンツ再生装置において、
通電遮断後に前記コンテンツ再生装置の通電が開始されると、前記再生可否判断部は、前記端末識別部が識別した前記携帯端末に対応する前記ラストモード情報に基づき、前記携帯端末の接続状態が前記ラストモードのコンテンツを再生可能であるか否かを判断するコンテンツ再生装置。
【請求項７】
請求項５または６に記載のコンテンツ再生装置において、
前記記憶部は、異なる時点で取得された複数の前記ラストモード情報を前記携帯端末と対応付けて記憶し、
通電遮断後に前記コンテンツ再生装置の通電が開始されると、前記通知部は、前記端末識別部が識別した前記携帯端末に対応する複数の前記ラストモードのコンテンツを前記ユーザに通知し、
前記再生可否判断部は、前記通知部が通知した複数の前記ラストモードのコンテンツのうち、前記ユーザが選択した前記ラストモードのコンテンツについて、前記携帯端末の接続状態が再生可能であるか否かを判断するコンテンツ再生装置。
【請求項８】
請求項１から請求項７のいずれか一項に記載のコンテンツ再生装置において、
前記コンテンツ再生装置は移動体に搭載されており、
前記通知部は、前記移動体の現在地および目的地の情報を取得し、前記現在地から前記目的地までの距離が所定値未満の場合は、前記携帯端末の接続に関する通知を行わないコンテンツ再生装置。
【請求項９】
携帯端末と接続可能なコンテンツ再生装置におけるコンテンツ再生方法であって、
通電遮断時に前記コンテンツ再生装置が再生していたラストモードのコンテンツに関する情報を含むラストモード情報を記憶し、
通電遮断後に前記コンテンツ再生装置の通電が開始されると、記憶した前記ラストモード情報に基づき、前記携帯端末の接続状態が前記ラストモードのコンテンツを再生可能であるか否かを判断し、
前記携帯端末の接続状態が前記ラストモードのコンテンツを再生可能ではないと判断した場合、前記携帯端末の接続に関する通知をユーザに対して行うコンテンツ再生方法。
【発明の詳細な説明】
【技術分野】
【０００１】
本発明は、コンテンツ再生装置およびコンテンツ再生方法に関する。
【背景技術】
【０００２】
本技術分野の背景技術として、特許文献１が知られている。特許文献１には、１以上の携帯端末が近距離通信により接続される車載機器であって、通電の停止の際におけるコンテンツの停止直前の動作モードであるラストモードについてのレジューム情報を、前記停止直前に接続していた１以上の前記携帯端末の識別情報と関連付けて記憶する記憶手段と、通電の開始により前記近距離通信により接続される前記携帯端末の識別情報を取得する識別情報取得手段と、取得した前記識別情報と関連して記憶された前記ラストモードのレジューム情報に基づいて、前記コンテンツを前記ラストモードで再生を開始させるラストモード再生手段と、を有し、前記記憶手段は、前記停止直前に接続していた１以上の前記携帯端末の前記識別情報を、前記コンテンツを前記ラストモードでの再生を行う順位としての優先度と共に記憶し、前記ラストモード再生手段は、前記通電の開始後に取得した前記識別情報に関連する前記コンテンツの前記ラストモードが複数のときは、優先度が最も高い識別情報に関連するコンテンツのラストモードで再生する構成のものが記載されている。
【先行技術文献】
【特許文献】
【０００３】
【特許文献１】特開２０１６−１５６１４号公報
【発明の概要】
【発明が解決しようとする課題】
【０００４】
特許文献１では、ユーザが携帯端末を車載機器に近距離無線通信で常時接続可能な状態に設定しておく必要がある。そのため、携帯端末が常時接続可能でない状態のときには、車載機器においてコンテンツをラストモードで再生することができない。
【課題を解決するための手段】
【０００５】
本発明によるコンテンツ再生装置は、携帯端末と接続可能なものであって、通電遮断時に前記コンテンツ再生装置が再生していたラストモードのコンテンツに関する情報を含むラストモード情報を記憶する記憶部と、通電遮断後に前記コンテンツ再生装置の通電が開始されると、前記記憶部に記憶された前記ラストモード情報に基づき、前記携帯端末の接続状態が前記ラストモードのコンテンツを再生可能であるか否かを判断する再生可否判断部と、前記再生可否判断部により前記携帯端末の接続状態が前記ラストモードのコンテンツを再生可能ではないと判断された場合、前記携帯端末の接続に関する通知をユーザに対して行う通知部と、を備える。
本発明によるコンテンツ再生方法は、携帯端末と接続可能なコンテンツ再生装置において、通電遮断時に前記コンテンツ再生装置が再生していたラストモードのコンテンツに関する情報を含むラストモード情報を記憶し、通電遮断後に前記コンテンツ再生装置の通電が開始されると、記憶した前記ラストモード情報に基づき、前記携帯端末の接続状態が前記ラストモードのコンテンツを再生可能であるか否かを判断し、前記携帯端末の接続状態が前記ラストモードのコンテンツを再生可能ではないと判断した場合、前記携帯端末の接続に関する通知をユーザに対して行う。
【発明の効果】
【０００６】
本発明によれば、携帯端末の接続状態に関わらず、コンテンツをラストモードで再生することができる。
【図面の簡単な説明】
【０００７】
【図１】本発明の一実施形態に係るコンテンツ再生装置を含む車載情報システムの構成を示す図である。
【図２】車載装置の構成を示すブロック図である。
【図３】ラストモード情報の例を示す図である。
【図４】車載装置がラストモード情報の記録を行う際に実行する処理のフローチャートである。
【図５】車載装置がラストモード再生を行う際に実行する処理のフローチャートである。
【図６】ラストモード通知画面の例を示す図である。
【図７】接続通知画面の例を示す図である。
【発明を実施するための形態】
【０００８】
図１は、本発明の一実施形態に係るコンテンツ再生装置を含む車載情報システムの構成を示す図である。図１に示す車載情報システムは、車両に搭載されて使用されることでユーザに各種コンテンツを提供するものであり、車載装置１と携帯端末２が近距離無線通信３およびＵＳＢケーブル４を介した有線通信で互いに接続されることによって実現される。ただし、近距離無線通信３およびＵＳＢケーブル４は必ずしも両方が接続されている必要はなく、コンテンツの種類に応じて必要な接続が異なる。
【０００９】
携帯端末２と接続されることでコンテンツ再生装置として機能する車載装置１は、車両内に固定されており、たとえば車両のインストルメントパネル内などに設置されている。携帯端末２は、ユーザが持ち運び可能な携帯型の情報端末であり、たとえば携帯電話やスマートフォンなどである。なお、車載装置１と携帯端末２の間で行われる近距離無線通信３には、たとえばBluetooth（登録商標）、Ｗｉ-Ｆｉ（登録商標）、ＮＦＣ（Near Field Communication）などを用いることができる。また、ＵＳＢケーブル４を介した有線通信以外に、たとえば有線ＬＡＮやＲＳ−２３２Ｃ等の有線通信を用いてもよい。以下では、近距離無線通信３としてBluetoothおよびＷｉ-Ｆｉを使用し、有線通信としてＵＳＢケーブル４を用いる例を説明するが、他の通信方法でも同様である。
【００１０】
車載装置１には、表示部１２と、操作キー（操作スイッチ）１３ａ、１３ｂ、１３ｃ、１３ｄおよび１３ｅとが設けられている。表示部１２は、各種の画像や映像を表示可能な表示モニタであり、たとえば液晶ディスプレイによって構成される。操作キー１３ａ〜１３ｅは、ユーザの入力操作を検出するための操作スイッチ類であり、車載装置１が実行中の処理に応じて様々な機能が割り当てられる。ユーザは、操作キー１３ａ〜１３ｅのうち任意の操作キーを操作することで、所望の機能を車載装置１に実行させることができる。なお、図１では操作キー１３ａ〜１３ｄを押圧可能なボタン式のスイッチとし、操作キー１３ｅを左右に回転可能なダイヤル式のスイッチとした例を示しているが、各操作キーの配置、構造、数などはこの例に限定されない。また、表示部１２をタッチパネル式の表示モニタとし、操作キーの一部または全部を省略してもよい。
【００１１】
携帯端末２には、表示部２２が設けられている。表示部２２は、各種の画像や映像を表示可能なタッチパネル式の表示モニタであり、たとえばタッチ位置を検出するタッチセンサと液晶ディスプレイとを組み合わせて構成される。ユーザは、表示部２２に表示される画像や映像の内容に応じて、表示部２２上で任意の位置を指等でタッチすることで、所望の機能を携帯端末２に実行させることができる。なお、ここでは表示部２２をタッチパネル式の表示モニタとした例を説明したが、タッチパネル式ではない通常の表示モニタとしてもよい。その場合、携帯端末２が実行する処理の内容に応じた各種の操作スイッチを携帯端末２に設けることが好ましい。あるいは、表示部２２をタッチパネル式の表示モニタとし、さらに所定の操作に対応する操作スイッチを携帯端末２に設けてもよい。
【００１２】
図２は、車載装置１の構成を示すブロック図である。図２に示すように車載装置１は、制御部１０、記憶部１１、表示部１２、操作部１３、音声出力部１４および通信インタフェース部１５を有する。
【００１３】
車載装置１において、制御部１０は、ＣＰＵや各種周辺回路、ＲＡＭ、ＲＯＭ等によって構成されており、記憶部１１に記録されている制御プログラムに基づいて各種の処理や演算を実行する。制御部１０は、その機能として、ユーザ判別部１０１、端末識別部１０２、再生可否判断部１０３および通知部１０４を有している。すなわち、ＣＰＵにおいて所定のプログラムが実行されることにより、制御部１０がユーザ判別部１０１、端末識別部１０２、再生可否判断部１０３および通知部１０４として動作する。なお、これらの機能ブロックの詳細については後述する。
【００１４】
記憶部１１は、不揮発性のデータ格納装置であり、たとえばＨＤＤ（ハードディスクドライブ）やフラッシュメモリ等によって実現される。記憶部１１には、たとえば制御部１０において用いられる前述の制御プログラムなど、各種のデータが記憶されている。記憶部１１におけるデータの読み出しおよび書き込みは、制御部１０の制御により必要に応じて行われる。
【００１５】
さらに記憶部１１には、ラストモード情報１１１が記憶されている。ラストモード情報１１１は、車載装置１の通電が遮断されたときに車載装置１が再生していたコンテンツに関する情報であり、ラストモード再生において利用される。ラストモード再生とは、車載装置１の通電が開始されたときに、ユーザごとに過去に再生していたコンテンツの続きをラストモード情報１１１から自動的に判断して再生する動作のことである。このラストモード再生により再生されるコンテンツを、以下では「ラストモードのコンテンツ」と称する。なお、ラストモード再生の詳細については後述する。
【００１６】
表示部１２は、図１を用いて前述したように、液晶ディスプレイ等によって構成される表示モニタである。操作部１３は、ユーザの入力操作を検出するためのスイッチであり、たとえば図１に示した操作キー１３ａ〜１３ｅによって実現される。なお、前述のように表示部１２をタッチパネル式の表示モニタとすることで、表示部１２と操作部１３を一体化された構成としてもよい。操作部１３に対して行われたユーザの入力操作内容は制御部１０へ出力され、制御部１０が行う処理に反映される。
【００１７】
音声出力部１４は、アンプ、スピーカ等を有しており、制御部１０の制御によって各種の音声を出力することができる。たとえば、携帯端末２または不図示の記録媒体から読み出された音楽データを再生した音楽や、車両を目的地まで誘導するための誘導音声などが音声出力部１４から出力される。
【００１８】
通信インタフェース部１５は、制御部１０の制御により、携帯端末２との間で近距離無線通信３およびＵＳＢケーブル４を介した通信を行う際に必要なインタフェース処理を行う。たとえば、制御部１０から出力された情報を所定の信号形式に変換し、近距離無線通信３やＵＳＢケーブル４を介して携帯端末２へ送信したり、携帯端末２から所定の信号形式で出力された情報を近距離無線通信３やＵＳＢケーブル４を介して受信し、制御部１０へ出力したりする。通信インタフェース部１５によるインタフェース処理は、Bluetooth、Ｗｉ-Ｆｉ、ＵＳＢ等の所定の通信規格に従って行われる。この通信インタフェース部１５が行う処理により、車載装置１と携帯端末２との間で近距離無線通信３およびＵＳＢケーブル４を介したインタフェースがそれぞれ確立され、これらのインタフェースを介した情報の入出力が行われる。
【００１９】
次に、本車載情報システムにおけるラストモード再生について説明する。本車載情報システムは、車載装置１と携帯端末２とを互いに接続することで、携帯端末２に記憶されている様々なコンテンツを車載装置１で再生したり、不図示のサーバから携帯端末２を介して配信される様々なコンテンツを車載装置１で再生したりすることができる。たとえば、地図を表示して車両を目的地まで案内するカーナビゲーション機能をコンテンツの一種としてユーザに提供したり、音楽や映画に代表される各種の音声コンテンツや映像コンテンツを再生してユーザに提供したりすることが可能である。これ以外にも、任意のコンテンツを携帯端末２から取得し、車載装置１において再生することができる。
【００２０】
さらに、車載装置１の電源が遮断され、その後に再投入されたときには、ラストモードのコンテンツを引き続き再生するラストモード再生が行われる。このとき、車両内のユーザが判別されるとともに、携帯端末２の接続状態が判別される。そして、これらの判別結果と、過去のコンテンツ再生時に記録されたラストモード情報とを用いて、ユーザごとにラストモード再生が行われる。
【００２１】
図３は、記憶部１１に記憶されるラストモード情報１１１の例を示す図である。ラストモード情報１１１は、たとえば図３（ａ）に示す使用履歴情報ＤＢと、図３（ｂ）に示す接続端末情報ＤＢとによって構成される。
【００２２】
図３（ａ）の使用履歴情報ＤＢは、ユーザごとの過去の車両の使用履歴と、ラストモードのコンテンツおよび携帯端末２の接続状態とを表すデータベースである。使用履歴情報ＤＢは、ユーザ情報３０１、開始日時３０２、終了日時３０３、端末ＩＤ３０４およびコンテンツ種別３０５の各フィールドを有する複数のレコード３１１〜３１６によって構成されている。
【００２３】
レコード３１１〜３１６において、ユーザ情報３０１には、各ユーザの特徴を示す情報が当該ユーザと対応付けて格納される。なお、ユーザ情報３０１にどのような情報を格納するかは、ユーザの判別方法に応じて決定される。たとえば、不図示のカメラを用いた画像認識によりユーザの判別を行う場合は、画像認識において用いられるユーザごとの特徴点情報がユーザ情報３０１に格納される。これ以外にもユーザの判別方法に応じて、たとえばパスワードや、生体認証で用いられる各種情報などを、ユーザ情報３０１に格納することができる。
【００２４】
開始日時３０２には、ユーザが車両の使用を開始した日時が格納される。終了日時３０３には、ユーザが車両の使用を終了した日時が格納される。
【００２５】
端末ＩＤ３０４には、ユーザの車両使用時に近距離無線通信３やＵＳＢケーブル４を介して車載装置１に接続されていた携帯端末２に特有のＩＤが、その接続形態（通信規格）ごとに格納される。具体的には、携帯端末２には、Bluetooth接続における端末ＩＤと、Ｗｉ−Ｆｉ接続における端末ＩＤと、ＵＳＢ接続における端末ＩＤとが予め設定されている。ただし、ＵＳＢ接続における端末ＩＤは、ベンダーＩＤおよびプロダクトＩＤという二種類のＩＤコードで構成される。これらの端末ＩＤの種類に合わせて、端末ＩＤ３０４は、Bluetooth接続で用いられる端末ＩＤが格納されるフィールド３０４ａと、Ｗｉ−Ｆｉ接続で用いられる端末ＩＤが格納されるフィールド３０４ｂと、ＵＳＢ接続で用いられるベンダーＩＤおよびプロダクトＩＤがそれぞれ格納されるフィールド３０４ｃ、３０４ｄとで構成される。なお、図３（ａ）で示した端末ＩＤ３０４のフィールド構成はあくまで一例であり、車載装置１と携帯端末２の接続で用いられる通信規格に応じて、端末ＩＤ３０４のフィールド構成は変化する。
【００２６】
コンテンツ種別３０５には、車載装置１の電源が遮断される直前に再生されていたラストモードのコンテンツの種別に関する情報が格納される。たとえば、携帯端末２に記憶されていた音楽や映画がラストモードのコンテンツとして再生されていたことをそれぞれ示す「ＭＵＳＩＣ」、「ＭＯＶＩＥ」や、携帯端末２が有するアプリの一種であるAndroid Auto（登録商標）を利用したナビゲーション機能がラストモードのコンテンツとして提供されていたことを示す「Ａｎｄｒｏｉｄ  Ａｕｔｏ」などの情報が、コンテンツ種別３０５において格納されている。
【００２７】
図３（ｂ）の接続端末情報ＤＢは、各ユーザが所持して過去に車載装置１に接続された携帯端末２ごとの端末ＩＤを表すデータベースである。接続端末情報は、端末名称３２１および端末ＩＤ３２２の各フィールドを有する複数のレコード３３１〜３３４によって構成されている。
【００２８】
レコード３３１〜３３４において、端末名称３２１には、各携帯端末２に付与された名称を示す情報が格納される。なお、端末名称３２１に格納される各携帯端末２の名称は、初回接続時に、または初回接続後の任意のタイミングで、ユーザが任意に設定可能である。ただし、ユーザが設定しなかった場合は、車載装置１において予め設定された名称が仮の名称として付与される。図３の例では、ユーザが未設定の場合には最初の文字を「（仮）」とすることで、仮の名称であることが分かるようになっている。
【００２９】
端末ＩＤ３２２には、過去に近距離無線通信３やＵＳＢケーブル４を介して車載装置１に接続されたことがある各携帯端末２の接続形態（通信規格）ごとのＩＤが格納される。この端末ＩＤ３２２のフィールド構成は、図３（ａ）の端末ＩＤ３０４と同様である。すなわち、端末ＩＤ３２２は、Bluetooth接続で用いられる端末ＩＤが格納されるフィールド３２２ａと、Ｗｉ−Ｆｉ接続で用いられる端末ＩＤが格納されるフィールド３２２ｂと、ＵＳＢ接続で用いられるベンダーＩＤおよびプロダクトＩＤがそれぞれ格納されるフィールド３２２ｃ、３２２ｄとで構成される。なお、図３（ｂ）で示した端末ＩＤ３２２のフィールド構成はあくまで一例であり、車載装置１と携帯端末２の接続で用いられる通信規格に応じて、端末ＩＤ３２２のフィールド構成は変化する。
【００３０】
車載装置１では、上記のようなデータ構造を有する使用履歴情報ＤＢおよび接続端末情報ＤＢがラストモード情報１１１として記憶部１１に記憶されている。すなわち、ラストモード情報１１１では、使用履歴情報ＤＢおよび接続端末情報ＤＢの各レコードにより、車両が使用される度に異なる時点でそれぞれ取得された複数のラストモード情報がユーザおよび携帯端末２と対応付けて記録されている。
【００３１】
図４は、車載装置１がラストモード情報１１１の記録を行う際に実行する処理のフローチャートである。このフローチャートに示す処理は、車載装置１の電源が投入されると制御部１０により実行されるものである。
【００３２】
ステップＳ１０において、制御部１０は、ラストモード情報１１１の使用履歴情報ＤＢに開始日時を記録する。ここでは、図３（ａ）に例示した使用履歴情報ＤＢにおいて新たなレコードを追加し、そのレコードの開始日時３０２の欄に現在の日時を格納することで、ラストモード情報１１１に現在の日時を開始日時として記録する。
【００３３】
ステップＳ２０において、制御部１０は、ユーザの判別を行う。ここでは、ユーザ判別部１０１におけるユーザの判別方法に応じて、現在車両に搭乗しているユーザのユーザ情報を取得する。たとえば、ユーザの画像認識用の特徴点情報やユーザが入力したパスワード等の情報を取得する。そして、ユーザ判別部１０１により、取得したユーザ情報をラストモード情報１１１の使用履歴情報ＤＢにおける各レコードのユーザ情報３０１と比較する。その結果、取得したユーザ情報と一致するレコードがあれば、当該レコードに対応するユーザを現在車両に搭乗しているユーザと判断し、取得したユーザ情報と一致するレコードがなければ、新規ユーザと判断する。
【００３４】
ステップＳ３０において、制御部１０は、ステップＳ２０で行ったユーザ判別時に取得したユーザ情報を、ユーザの判別結果と対応付けて、ラストモード情報１１１の使用履歴情報ＤＢに記録する。ここでは、ステップＳ１０において追加したレコードのユーザ情報３０１の欄に、取得したユーザ情報とユーザの判別結果を格納する。これにより、ユーザ判別部１０１が判別したユーザと対応付けてラストモード情報１１１が記憶部１１に記憶される。
【００３５】
ステップＳ４０において、制御部１０は、近距離無線通信３またはＵＳＢケーブル４を介して車載装置１に接続されている携帯端末２の有無を判定する。ここでは、端末識別部１０２により、Bluetooth、Ｗｉ-Ｆｉ、ＵＳＢのいずれか少なくとも一つの接続形態を用いて車載装置１に接続されている携帯端末２があるかどうかを判定する。その結果、車載装置１に接続されている携帯端末２がある場合はステップＳ５０に進み、ない場合はステップＳ１００に進む。
【００３６】
ステップＳ５０において、制御部１０は、車載装置１に接続されている携帯端末２から端末ＩＤを取得し、ラストモード情報１１１の使用履歴情報ＤＢに記録する。ここでは、端末識別部１０２により、車載装置１に接続されている携帯端末２をその接続形態とともに識別し、識別した接続形態に応じて、Bluetooth接続における端末ＩＤと、Ｗｉ−Ｆｉ接続における端末ＩＤと、ＵＳＢ接続における端末ＩＤ（ベンダーＩＤ、プロダクトＩＤ）とのうち、いずれか少なくとも一つの端末ＩＤを携帯端末２から取得する。そして、ステップＳ１０において使用履歴情報ＤＢに追加したレコードの端末ＩＤ３０４の欄に、取得した端末ＩＤを格納する。これにより、端末識別部１０２が識別した携帯端末２と対応付けてラストモード情報１１１が記憶部１１に記憶される。
【００３７】
ステップＳ６０において、制御部１０は、ステップＳ５０で識別した携帯端末２が接続端末情報ＤＢにおいて未登録の端末であるか否かを判定する。ここでは、ステップＳ５０で取得した端末ＩＤを、ラストモード情報１１１の接続端末情報ＤＢにおける各レコードの端末ＩＤ３２２と比較する。その結果、取得した端末ＩＤと一致するレコードが接続端末情報ＤＢにあれば、携帯端末２が登録済みの端末であると判定してステップＳ８０に進み、なければ携帯端末２が未登録の端末であると判定してステップＳ７０に進む。
【００３８】
ステップＳ７０において、制御部１０は、ステップＳ６０で未登録と判定した携帯端末２の端末名称を接続端末情報ＤＢに追加する。ここでは、たとえば表示部１２に所定の登録画面を表示し、この登録画面においてユーザに操作部１３を操作して任意の端末名称を入力するように促す。その結果、ユーザが端末名称を入力したら、図３（ｂ）に例示した接続端末情報ＤＢにおいて新たなレコードを追加し、そのレコードの端末名称３２１の欄に入力された端末名称を格納することで、ラストモード情報１１１の接続端末情報ＤＢに新たな携帯端末２を登録する。なお、ユーザが端末名称を入力しなかった場合は、前述のように予め設定された名称を仮の名称として付与すればよい。
【００３９】
ステップＳ８０において、制御部１０は、ステップＳ５０で取得した端末ＩＤの中に、接続端末情報ＤＢにおいて未登録の端末ＩＤがあるか否かを判定する。その結果、全ての端末ＩＤが未登録か、または、取得した端末ＩＤの一部が未登録、すなわち登録済みのものと未登録の両方の端末ＩＤが含まれていた場合は、未登録の端末ＩＤがあると判定してステップＳ９０に進み、そうでない場合、すなわち全ての端末ＩＤが登録済みである場合はステップＳ１００に進む。なお、全ての端末ＩＤが未登録の場合とは、ステップＳ６０で携帯端末２が未登録の端末であると判定された場合である。一方、取得した端末ＩＤの一部が未登録の場合とは、ステップＳ６０では携帯端末２が登録済みの端末であると判定されたが、過去の接続時とは異なる接続形態を用いて携帯端末２が車載装置１に接続されていた場合である。
【００４０】
ステップＳ９０において、制御部１０は、ステップＳ８０で未登録と判定した端末ＩＤを接続端末情報ＤＢに追加する。ここでは、ステップＳ５０で取得した端末ＩＤのうち、ステップＳ８０で未登録と判定した端末ＩＤを、対応するレコードの端末ＩＤ３２２の欄に格納する。これにより、携帯端末２の接続状態に応じて、ラストモード情報１１１の接続端末情報ＤＢが更新される。
【００４１】
ステップＳ１００において、制御部１０は、携帯端末２の接続状態における変化の有無を判定する。ここでは、Bluetooth、Ｗｉ-Ｆｉ、ＵＳＢのうち、これまで携帯端末２の接続では未使用であったものが新たに接続されるか、または携帯端末２の接続に使用していたものが切断された場合に、携帯端末２の接続状態に変化があったと判定し、ステップＳ５０に戻る。この場合、変化後の接続状態に従ってステップＳ５０以降の処理を繰り返す。一方、上記の条件を満たさない場合は、携帯端末２の接続状態に変化がないと判定し、ステップＳ１１０に進む。
【００４２】
ステップＳ１１０において、制御部１０は、ステップＳ２０で判別したユーザが車両から降車したか否かを判定する。ここでは、たとえば車両のパーキングブレーキが操作されて車載装置１の電源が切断された場合に、ユーザが車両から降車したと判定してステップＳ１２０に進み、そうでない場合はステップＳ１００に戻る。なお、他の方法でユーザの降車を判定してもよい。
【００４３】
ステップＳ１２０において、制御部１０は、ラストモード情報１１１の使用履歴情報ＤＢに終了日時を記録する。ここでは、ステップＳ１０において追加したレコードの終了日時３０３の欄に現在の日時を格納することで、ラストモード情報１１１に現在の日時を終了日時として記録する。
【００４４】
ステップＳ１３０において、制御部１０は、ラストモード情報１１１の使用履歴情報ＤＢに、ユーザが降車直前に再生していたラストモードのコンテンツに対応するコンテンツ種別を記録する。ここでは、ステップＳ１０において使用履歴情報ＤＢに追加したレコードのコンテンツ種別３０５の欄に、ステップＳ１１０でユーザが車両から降車したと判定する直前に再生されていたコンテンツの種別を表す情報を格納する。なお、このとき当該コンテンツの種別に加えて、当該コンテンツの詳細をラストモード情報１１１に記録してもよい。たとえば、楽曲名やタイトル名、再生位置などを記録することができる。
【００４５】
ステップＳ１３０を終えたら、図４のフローチャートに示す処理を終了する。車載装置１では、このようにしてラストモード情報１１１の記録が行われる。
【００４６】
図５は、車載装置１がラストモード再生を行う際に実行する処理のフローチャートである。このフローチャートに示す処理は、車載装置１の電源が投入されると、図４のフローチャートと並行して、または図４のフローチャートに先立って、制御部１０により実行されるものである。
【００４７】
ステップＳ２１０において、制御部１０は、ユーザの判別を行う。ここでは、ユーザ判別部１０１により、図４のステップＳ２０と同様の方法でユーザを判別する。なお、ステップＳ２０とステップＳ２１０の処理を統合し、一回のユーザ判別で済むようにしてもよい。
【００４８】
ステップＳ２２０において、制御部１０は、ステップＳ２１０で判別したユーザに対応する使用履歴情報がラストモード情報１１１において記録されているか否かを判定する。ここでは、ステップＳ２１０のユーザ判定時に取得したユーザ情報を、ラストモード情報１１１の使用履歴情報ＤＢにおける各レコードのユーザ情報３０１と比較する。その結果、取得したユーザ情報と一致するレコードが使用履歴情報ＤＢにあれば、当該ユーザの使用履歴情報が記録されていると判定してステップＳ２４０に進み、なければステップＳ２３０に進む。
【００４９】
ステップＳ２３０において、制御部１０は、近距離無線通信３またはＵＳＢケーブル４を介して車載装置１に接続されている携帯端末２の有無を判定する。ここでは、図４のステップＳ４０と同様に、Bluetooth、Ｗｉ-Ｆｉ、ＵＳＢのいずれか少なくとも一つにより、車載装置１に接続されている携帯端末２があるかどうかを判定する。その結果、車載装置１に接続されている携帯端末２がある場合はステップＳ２５０に進み、ない場合はステップＳ３００に進む。
【００５０】
ステップＳ２２０からステップＳ２４０に進んだ場合、ステップＳ２４０において、制御部１０は、ステップＳ２１０で判別したユーザに対応する使用履歴情報をラストモード情報１１１から抽出する。すなわち、ステップＳ２２０で特定したユーザ情報と一致する使用履歴情報ＤＢのレコードを、当該ユーザに対応する使用履歴情報として抽出する。なお、ユーザ情報と一致するレコードが使用履歴情報ＤＢにおいて複数存在する場合は、その中で最新のレコードから順に、予め定めた所定数のレコードを抽出することが好ましい。このようにすれば、当該ユーザに対応する複数のラストモードのコンテンツについて、ラストモード情報１１１から使用履歴情報をそれぞれ抽出することができる。
【００５１】
ステップＳ２３０からステップＳ２５０に進んだ場合、ステップＳ２５０において、制御部１０は、ステップＳ２３０で判別した車載装置１に接続中の携帯端末２に対応する使用履歴情報をラストモード情報１１１から抽出する。ここでは、車載装置１に接続されている携帯端末２から端末ＩＤを取得し、その端末ＩＤが端末ＩＤ３２２の欄に格納されているレコードを接続端末情報ＤＢにおいて特定する。そして、特定したレコードの各端末ＩＤと同一の端末ＩＤを一つ以上含むレコードを使用履歴情報ＤＢにおいて特定し、そのレコードを使用履歴情報ＤＢから抽出することで、車載装置１に接続中の携帯端末２に対応する使用履歴情報を抽出する。なお、接続中の携帯端末２の接続端末情報と同一の端末ＩＤを含むレコードが使用履歴情報ＤＢにおいて複数存在する場合は、その中で最新のレコードから順に、予め定めた所定数のレコードを抽出することが好ましい。このようにすれば、当該携帯端末２に対応する複数のラストモードのコンテンツについて、ラストモード情報１１１から使用履歴情報をそれぞれ抽出することができる。
【００５２】
上記のステップＳ２４０またはＳ２５０の処理により、ユーザ判別部１０１が判別した車両に搭乗中のユーザ、または端末識別部１０２が識別した車載装置１に接続中の携帯端末２のいずれかに対応して、ラストモード情報１１１の使用履歴情報ＤＢから１つまたは複数の使用履歴情報が抽出される。こうして使用履歴情報が抽出されたら、ステップＳ２６０に進む。
【００５３】
ステップＳ２６０において、制御部１０は、ラストモード再生で再生するコンテンツをユーザに通知するためのラストモード通知画面を表示する。ここでは、通知部１０４により、ステップＳ２４０またはＳ２５０で抽出した使用履歴情報においてコンテンツ種別３０５の欄に格納されている情報に基づき、所定の表示形態によるラストモード通知画面を表示部１２に表示させる。これにより、１つまたは複数のコンテンツをラストモードのコンテンツとしてユーザに通知する。そして、通知したラストモードのコンテンツの中からいずれかをユーザに選択させることで、どのコンテンツについてラストモード再生を行うか否かをユーザに選択させるようにする。なお、ステップＳ２６０で表示されるラストモード通知画面の具体例については後述する。
【００５４】
ステップＳ２７０において、制御部１０は、ステップＳ２６０で表示したラストモード通知画面においてユーザがいずれかのラストモードのコンテンツを選択したか否かを判定する。ユーザがラストモードのコンテンツを選択するまでは、ステップＳ２６０に戻ってラストモード通知画面を表示し続け、いずれかのラストモードのコンテンツを選択したらステップＳ２８０に進む。
【００５５】
ステップＳ２８０において、制御部１０は、ステップＳ２７０でユーザが選択したラストモードのコンテンツを再生可能であるか否かを判定する。ここでは、再生可否判断部１０３により、ステップＳ２４０またはＳ２５０で抽出した使用履歴情報に基づき、ラストモード通知画面においてユーザが選択したラストモードのコンテンツを再生可能であるか否かを判断する。具体的には、端末識別部１０２を用いて、近距離無線通信３またはＵＳＢケーブル４を介して車載装置１に接続されている携帯端末２の有無を判断し、車載装置１に接続中の携帯端末２があれば、その接続形態に応じた端末ＩＤを携帯端末２から取得する。そして、取得した各端末ＩＤと、ステップＳ２４０または２５０で抽出した使用履歴情報のうちユーザが選択したラストモードのコンテンツに対応する使用履歴情報において端末ＩＤ３０４の欄に格納されている各端末ＩＤとを比較する。その結果、全ての端末ＩＤが一致した場合、すなわち、Bluetooth、Ｗｉ-Ｆｉ、ＵＳＢの各接続形態のうち、ユーザが選択したラストモードのコンテンツの再生に必要な接続形態が車載装置１と携帯端末２の間で全て接続されている場合には、ユーザが選択したラストモードのコンテンツを再生可能であると判定してステップＳ３１０に進む。一方、少なくとも一つの端末ＩＤが一致しない場合、すなわち、ユーザが選択したラストモードのコンテンツの再生に必要な接続形態の少なくとも一つが車載装置１と携帯端末２の間で接続されていない場合には、ユーザが選択したラストモードのコンテンツを再生可能ではないと判定してステップＳ２９０に進む。
【００５６】
ステップＳ２９０において、制御部１０は、携帯端末２の接続に関する通知をユーザに対して行うための接続通知画面を表示する。ここでは、通知部１０４により、ステップＳ２８０の判定で車載装置１に接続中の携帯端末２の端末ＩＤとは一致しないと判定された使用履歴情報の端末ＩＤに基づき、所定の表示形態による接続通知画面を表示部１２に表示させる。これにより、Bluetooth、Ｗｉ-Ｆｉ、ＵＳＢの各接続形態のうち、ユーザが選択したラストモードのコンテンツの再生に必要なものが接続されていないことをユーザに通知する。なお、ステップＳ２９０で表示される接続通知画面の具体例については後述する。
【００５７】
制御部１０は、ユーザが選択したラストモードのコンテンツを再生可能であるとステップＳ２８０で判定されるまで、ステップＳ２９０の処理を繰り返す。これにより、ラストモードのコンテンツの再生に必要な接続形態での接続を行うようにユーザを促す。なお、ユーザが所定のキャンセル操作を行った場合や、接続通知画面の表示を開始してから所定時間が経過した場合は、ステップＳ２９０の処理を中断してステップＳ３００に進むようにしてもよい。
【００５８】
ステップＳ２３０からステップＳ３００に進んだ場合、またはステップＳ２９０の処理を中断してステップＳ３００に進んだ場合、ステップＳ３００において、制御部１０は、既定のコンテンツをラストモードのコンテンツとして選択する。ここでは、たとえばステップＳ２１０のユーザ判別結果に関わらず、ラストモード情報１１１の使用履歴情報ＤＢにおいて記録された最新の使用履歴情報を選択し、その使用履歴情報においてコンテンツ種別３０５の欄に格納されている情報に基づき、ラストモードのコンテンツを選択する。あるいは、予め定めた任意のコンテンツをラストモードのコンテンツとして選択してもよい。ステップＳ３００でラストモードのコンテンツを選択したら、ステップＳ３１０に進む。
【００５９】
ステップＳ３１０において、制御部１０は、ラストモード再生を開始する。ここでは、ステップＳ２８０で再生可能と判断したラストモードのコンテンツ、またはステップＳ３００で選択したラストモードのコンテンツの再生を開始することで、ラストモード再生を開始する。このとき、再生するコンテンツに応じて、車載装置１に接続されている携帯端末２から必要な情報を取得する。
【００６０】
ステップＳ３１０を終えたら、図５のフローチャートに示す処理を終了する。車載装置１では、このようにしてラストモード再生が行われる。
【００６１】
図６は、図５のステップＳ２６０において表示部１２に表示されるラストモード通知画面の例を示す図である。図６（ａ）では、図５のステップＳ２４０において、ユーザＡに対応する２つのレコード３１４、３１１をユーザＡの使用履歴情報として図２（ａ）の使用履歴情報ＤＢから抽出し、これら２つの使用履歴情報を用いてステップＳ２６０で表示したラストモード通知画面の例を示している。一方、図６（ｂ）では、図５のステップＳ２５０において、「母タブレット」という端末名称が付された携帯端末２に対応する２つのレコード３１４、３１２を当該端末の使用履歴情報として図２（ａ）の使用履歴情報ＤＢから抽出し、これら２つの使用履歴情報を用いてステップＳ２６０で表示されたラストモード通知画面の例を示している。
【００６２】
図６（ａ）のラストモード通知画面には、通知枠６１、６２が表示されている。通知枠６１に示された各情報は、使用履歴情報ＤＢのレコード３１４と、このレコード３１４に対応する接続端末情報ＤＢのレコード３３２とに基づくものである。また、通知枠６２に示された各情報は、使用履歴情報ＤＢのレコード３１１と、このレコード３１１に対応する接続端末情報ＤＢのレコード３３１とに基づくものである。なお、使用履歴情報ＤＢの各レコードと接続端末情報ＤＢの各レコードとの対応関係は、端末ＩＤ３０４、３２２にそれぞれ格納された接続形態ごとの端末ＩＤに基づいて判断することができる。
【００６３】
図６（ｂ）のラストモード通知画面には、通知枠６１、６３が表示されている。通知枠６１は、図６（ａ）の通知枠６１と同一のものである。一方、通知枠６３に示された各情報は、使用履歴情報ＤＢのレコード３１２と、このレコード３１２に対応する接続端末情報ＤＢのレコード３３２とに基づくものである。すなわち、図６（ｂ）のラストモード通知画面における通知枠６１、６３は、いずれも接続端末情報ＤＢのレコード３３２と対応しているため、「母タブレット」という同一の端末名称を示している。
【００６４】
ユーザは、図６（ａ）または図６（ｂ）のラストモード通知画面において通知枠６１〜６３のいずれかを選択することで、車載装置１にラストモード再生を指示するとともに、どのコンテンツをラストモード再生の対象とするかを選択する。通知枠６１〜６３のいずれかがユーザにより選択されると、図５のステップＳ２７０が肯定判定され、ステップＳ２８０で当該コンテンツの再生が可能であるか否かを判断される。
【００６５】
図７は、図５のステップＳ２９０において表示部１２に表示される接続通知画面の例を示す図である。この接続通知画面では、ラストモード通知画面の上に重ねて通知枠７１を表示することで、ユーザが選択したコンテンツを対象としてラストモード再生を実行するためにはBluetoothによる接続が必要であることをユーザに通知している。これによりユーザは、「（仮）Ｓｍａｒｔ１」という端末名称が付された携帯端末２と車載装置１の間でBluetoothが未接続であることを認識できる。したがって、当該端末のBluetooth接続をオンとするようユーザに促すことができる。なお、図７では、図６（ａ）のラストモード通知画面において通知枠６２がユーザに選択され、この通知枠６２に対応する接続端末情報ＤＢのレコード３３１が表す「（仮）Ｓｍａｒｔ１」という端末名称が付された携帯端末２のBluetooth接続がオフである場合の接続通知画面の例を示している。
【００６６】
以上説明した本発明の一実施形態によれば、次の作用効果を奏する。
【００６７】
（１）携帯端末２と接続可能なコンテンツ再生装置である車載装置１は、通電遮断時に車載装置１が再生していたラストモードのコンテンツに関する情報を含むラストモード情報１１１を記憶する記憶部１１と、通電遮断後に車載装置１の通電が開始されると、記憶部１１に記憶されたラストモード情報１１１に基づき、携帯端末２の接続状態がラストモードのコンテンツを再生可能であるか否かを判断する再生可否判断部１０３と、再生可否判断部１０３により携帯端末２の接続状態がラストモードのコンテンツを再生可能ではないと判断された場合（ステップＳ２８０：ＮＯ）、携帯端末２の接続に関する通知をユーザに対して行う通知部１０４とを備える。このようにしたので、携帯端末２の接続状態に関わらず、車載装置１においてコンテンツをラストモードで再生することができる。
【００６８】
（２）車載装置１は、ユーザを判別するユーザ判別部１０１を備えており、記憶部１１は、ユーザ判別部１０１が判別したユーザと対応付けてラストモード情報１１１を記憶する（ステップＳ３０）。このようにしたので、車載装置１において複数のユーザが別々のコンテンツをそれぞれ再生した場合でも、ラストモード情報１１１から各ユーザのラストモードのコンテンツを容易に識別することができる。
【００６９】
（３）通電遮断後に車載装置１の通電が開始されると、再生可否判断部１０３は、ユーザ判別部１０１が判別したユーザに対応するラストモード情報としての使用履歴情報を抽出し（ステップＳ２４０）、この使用履歴情報に基づき、携帯端末２の接続状態がラストモードのコンテンツを再生可能であるか否かを判断する（ステップＳ２８０）。このようにしたので、携帯端末２の接続状態に応じて、ユーザごとのラストモード再生を実行するのに適切な通知をユーザに対して行うことができる。
【００７０】
（４）記憶部１１は、図３（ａ）の使用履歴情報で例示したように、異なる時点で取得された複数のラストモード情報をユーザと対応付けて記憶する。通電遮断後に車載装置１の通電が開始されると、通知部１０４は、ユーザ判別部１０１が判別したユーザに対応する複数のラストモードのコンテンツをユーザに通知する（ステップＳ２６０、図６（ａ））。再生可否判断部１０３は、通知部１０４が通知した複数のラストモードのコンテンツのうち、ユーザが選択したラストモードのコンテンツについて、携帯端末２の接続状態が再生可能であるか否かを判断する（ステップＳ２８０）。このようにしたので、ユーザごとのラストモード再生を行うコンテンツをユーザに選択させるとともに、携帯端末２の接続状態に応じて、そのコンテンツを対象としてラストモード再生するのに適切な通知をユーザに対して行うことができる。
【００７１】
（５）車載装置１は、接続中の携帯端末２を識別する端末識別部１０２を備えており、記憶部１１は、端末識別部１０２が識別した携帯端末２と対応付けてラストモード情報１１１を記憶する（ステップＳ５０）。このようにしたので、車載装置１に複数種類の携帯端末２がそれぞれ接続されて別々のコンテンツを再生した場合でも、ラストモード情報１１１から各携帯端末２のラストモードのコンテンツを容易に識別することができる。
【００７２】
（６）通電遮断後に車載装置１の通電が開始されると、再生可否判断部１０３は、端末識別部１０２が識別した携帯端末２に対応するラストモード情報としての使用履歴情報を抽出し（ステップＳ２５０）、この使用履歴情報に基づき、携帯端末２の接続状態がラストモードのコンテンツを再生可能であるか否かを判断する（ステップＳ２８０）。このようにしたので、携帯端末２の接続状態に応じて、携帯端末２ごとのラストモード再生を実行するのに適切な通知をユーザに対して行うことができる。
【００７３】
（７）記憶部１１は、図３（ａ）の使用履歴情報で例示したように、異なる時点で取得された複数のラストモード情報を携帯端末２と対応付けて記憶する。通電遮断後に車載装置１の通電が開始されると、通知部１０４は、端末識別部１０２が識別した携帯端末２に対応する複数のラストモードのコンテンツをユーザに通知する（ステップＳ２６０、図６（ｂ））。再生可否判断部１０３は、通知部１０４が通知した複数のラストモードのコンテンツのうち、ユーザが選択したラストモードのコンテンツについて、携帯端末２の接続状態が再生可能であるか否かを判断する（ステップＳ２８０）。このようにしたので、携帯端末２ごとのラストモード再生を行うコンテンツをユーザに選択させるとともに、携帯端末２の接続状態に応じて、そのコンテンツを対象としてラストモード再生するのに適切な通知をユーザに対して行うことができる。
【００７４】
なお、以上説明した実施の形態を以下のように変形してもよい。
【００７５】
（変形例１）
車載装置１が搭載されている車両の現在地から目的地までの距離が近い場合、通知部１０４は、図５のステップＳ２８０でラストモードのコンテンツを再生可能ではないと判定された場合であっても、ステップＳ２９０を実行せずに接続通知画面の表示を行わないようにしてもよい。たとえば、車載装置１が車両のナビゲーション機能を有する場合には、車載装置１に搭載されたＧＰＳ受信機から車両の現在位置の情報を取得するとともに、ユーザが車載装置１に対して設定した目的地の情報を取得する。そして、これらの情報に基づき、現在地から目的地までの距離を算出し、その距離が所定値未満、たとえば４ｋｍ未満の場合には、ステップＳ２８０の判定結果に関わらず、ステップＳ２９０を実行せずに接続通知画面の表示を行わないようにする。このとき、ステップＳ２９０のかわりにステップＳ３００を実行することで、既定のコンテンツをラストモードのコンテンツとして選択し再生してもよい。あるいは、車載装置１とは別に車両に搭載されたナビゲーション装置や、車載装置１に接続された携帯端末２を含む他の情報端末などから、現在地や目的地の情報を取得してもよい。
【００７６】
さらに、各ユーザが車両を使用したときの日時や走行地点の履歴を行動履歴情報としてユーザごとに記録しておき、この行動履歴情報に基づき車両の目的地を推定してもよい。たとえば、毎月同じ日、毎週同じ曜日、毎日同じ時間帯など、一定の頻度で同一の走行パターンを示す行動履歴情報が得られた場合、この走行パターンに従って車両の目的地を推定することが可能である。こうして推定された目的地と現在位置との距離を算出し、その距離が所定値未満であれば、前述のようにステップＳ２８０の判定結果に関わらず、ステップＳ２９０を実行せずに接続通知画面の表示を行わないようにすればよい。
【００７７】
以上説明した変形例によれば、通知部１０４は、移動体である車両の現在地および目的地の情報を取得し、現在地から目的地までの距離が所定値未満の場合は、接続通知画面を表示せずに携帯端末２の接続に関する通知を行わない。このようにすれば、車両の走行時間が短く、そのためユーザにとってはコンテンツの再生が重要ではない状況のときに、携帯端末２の接続に関する不要な通知が行われてしまうのを防止できる。
【００７８】
（変形例２）
図５のステップＳ２９０で表示部１２に接続通知画面を表示する前に、または接続通知画面が表示されたままの状態で、車両が走行を開始した場合、通知部１０４は、接続通知画面を縮小して表示してもよい。たとえば、接続通知画面の中で最低限必要な情報のみを抽出し、表示部１２の画面上部に帯状に表示することができる。さらにこのとき、信号待ち等で車両が停止したタイミングで接続通知画面を元に戻して、携帯端末２の接続喚起をユーザに行ってもよい。あるいは、車両が走行を開始したら接続通知画面の表示を中断し、車両の停止タイミングで再表示するようにしてもよい。このようにすれば、車両の走行状態に応じて、ラストモード再生に必要な携帯端末２の接続喚起を適切なタイミングでユーザに行うことが可能となる。
【００７９】
以上説明した各実施形態や各種の変形例はあくまで一例であり、発明の特徴が損なわれない限り、本発明はこれらの内容に限定されるものではない。また、上記実施の形態と変形例とを任意に組み合わせて用いてもよい。
【符号の説明】
【００８０】
１：車載装置、２：携帯端末、３：近距離無線通信、４：ＵＳＢケーブル、１０：制御部、１１：記憶部、１２：表示部、１３：操作部、１４：音声出力部、１５：通信インタフェース部、１０１：ユーザ判別部、１０２：端末識別部、１０３：再生可否判断部、１０４：通知部、１１１：ラストモード情報
【図１】
2019153933.tif 000003
【図２】
2019153933.tif 000004
【図３】
2019153933.tif 000005
【図４】
2019153933.tif 000006
【図５】
2019153933.tif 000007
【図６】
2019153933.tif 000008
【図７】
2019153933.tif 000009